(57)【要約】【課題】ディジタル放送では一部契約が必要なサービスがある。この契約情報は受信機に付属されるＩＣカード（Ｂ−ＣＡＳカード）に記憶され、ＩＣカードは受信機に装着される。契約サービスの視聴や録画を行う場合、契約情報を記憶したＩＣカードを受信機に装着しておく必要がある。また、複数ディジタル受信機を使用する場合には、それぞれのＩＣカードに契約を行う必要があり、それぞれに料金を支払うことになる。【解決手段】ディジタル放送選局時または録画予約設定時に、ディジタル放送受信機に装着するＩＣカードで視聴可能かを確認し視聴できないと判定した場合は、このディジタル放送受信機と通信インターフェースで接続する接続機器に対して該当サービスの視聴が可能かを通信インターフェースを通じて確認し視聴が可能である場合は、接続機器での視聴または予約の設定を行う。【選択図】図１
2007228350.tif 000002
【特許請求の範囲】
【請求項１】
ディジタル放送を受信する放送受信機において、リモコンなどを操作して特定のサービスの選局操作を行った場合に、該当サービスが放送事業者との契約を必要とするサービスであるかの判定を行う。前記判定が契約を必要とするサービスであった場合に、放送受信機に装着しているＩＣカードより契約情報を取得し該当サービスが視聴可能であるかの判定を行う。前記判定が視聴不可であった場合に、放送受信機に接続している機器に対して、該当サービスが視聴可能であるかの情報の取得要求を通知するように構成されたことを特徴とする放送受信機。
【請求項２】
請求項１記載の放送受信機において、前記該当サービスが視聴可能であるかの情報の取得要求の通知に対する返答を受信し返答内容が視聴可能であった場合に、該当接続機器に対して該当サービスの選局要求を通知するように構成されたことを特徴とする放送受信機。
【請求項３】
請求項１記載の放送受信機において、前記該当サービスが視聴可能であるかの情報の取得要求の通知に対する返答を受信し返答内容が視聴可能であった場合に、該当接続機器が接続されている外部入力に切換えるように構成されたことを特徴とする放送受信機。
【請求項４】
請求項１記載の放送受信機と接続する放送受信機において、該当サービスが視聴可能であるかの情報の取得要求を受信した場合に、当該放送受信機が装着するＩＣカードより契約情報を取得し該当サービスが視聴可能であるかを判定する。前記判定が視聴可能であった場合に視聴可能であると返答し、前記判定が視聴不可であった場合は視聴不可であると返答するように構成されたことを特徴とする放送受信機。
【請求項５】
請求項２記載の放送受信機と接続する放送受信機において、該当サービスの選局要求を受信した場合には指定されたサービスを選局するように構成されたことを特徴とする放送受信機。
【請求項６】
請求項１から請求項５記載の放送受信機とその放送受信機と接続する放送受信機間での要求やその返答の通信を行うインターフェースを備えることを特徴とした放送受信機とその放送受信機と接続する放送受信機。
【請求項７】
電子番組表等を利用して特定の放送番組を録画もしくは視聴予約の設定を行うディジタル放送受信機において、録画もしくは視聴予約の設定を行った放送番組が放送事業者との契約を必要とするサービスであり、放送受信機に装着しているＩＣカードより契約情報を取得し該当サービスが視聴可能であるかの判定を行う。前記判定が視聴不可であった場合に、放送受信機に接続している機器に対して、該当放送番組が放送されるサービスが視聴可能であるかの情報の取得要求を通知するように構成されたことを特徴とする放送受信機。
【請求項８】
請求項７記載の放送受信機において、前記該当サービスが視聴可能であるかの情報の取得要求の通知に対する返答を受信し返答内容が視聴可能であった場合に、該当接続機器に対して該当放送番組の録画もしくは視聴予約の登録要求を通知するように構成されたことを特徴とする放送受信機。
【請求項９】
請求項７記載の放送受信機において、前記該当サービスが視聴可能であるかの情報の取得要求の通知に対する返答を受信し返答内容が視聴可能であった場合に、受信機内部に記憶・管理する予約設定情報の設定サービスを前記接続機器を接続する外部入力に変更し登録することを特徴とする放送受信機。
【請求項１０】
請求項７記載の放送受信機と接続する放送受信機において、該当サービスが視聴可能であるかの情報の取得要求を受信した場合に、当該放送受信機が装着するＩＣカードより契約情報を取得し該当サービスが視聴可能であるかを判定する。前記判定が視聴可能であった場合に視聴可能であると返答し、前記判定が視聴不可であった場合は視聴不可であると返答するように構成されたことを特徴とする放送受信機。
【請求項１１】
請求項８記載の放送受信機と接続する放送受信機において、該当放送番組の録画もしくは視聴予約の登録要求通知を受信した場合に、要求があった予約設定内容を該当放送受信機内部に記憶・管理するように構成されたことを特徴とする放送受信機。
【請求項１２】
請求項７から請求項１１記載の放送受信機とその放送受信機と接続する放送受信機間での要求やその返答の通信を行うインターフェースを備えることを特徴とした放送受信機とその放送受信機と接続する放送受信機。
【発明の詳細な説明】
【技術分野】
【０００１】
本発明は、複数のディジタル放送受信機を相互接続した場合に、契約サービスの選局や録画予約および視聴予約の登録の際に、選局や録画予約および視聴予約の実行に最適な受信機を選択するための通信方法および通信処理プログラムに関するものである。
【背景技術】
【０００２】
近年、ディジタル放送の普及に伴い、番組を有料放送として提供し契約した者のみが視聴できるようにする限定受信方式を利用する放送事業者も多くなっている。
【０００３】
有料放送の有料放送番組の映像・音声などは、スクランブル鍵（Ｋｓ）により暗号化されて伝送されている。Ｋｓは、ＴＳパケット化されて放送されるＥＣＭ（Ｅｎｔｉｔｌｅｍｅｎｔ  Ｃｏｎｔｒｏｌ  Ｍｅｓｓａｇｅ）に記述されている。このＥＣＭは、放送サービス毎に定められる共通情報であり、ワーク鍵（Ｋｗ）によって暗号化されたのち放送される。さらにＫｗは、ＴＳパケット化されて放送されるＥＭＭ（Ｅｎｔｉｔｌｅｍｅｎｔ  Ｍａｎａｇｅｍｅｎｔ  Ｍｅｓｓａｇｅ）に記述される。ＥＭＭは、視聴者ごとに異なる個別情報であり、Ｋｗに加えてその視聴者の契約情報なども記載されている。このＥＭＭは、マスター鍵（Ｋｍ）によって暗号化された後放送される。Ｋｍと、Ｋｍを用いてＥＭＭの暗号解除を行う回路と、Ｋｗを用いてＥＣＭの暗号解除を行う回路とは、全て一枚のＩＣカードに含まれており、このＩＣカードをディジタル放送受信機に装着し、ＩＣカードにＥＣＭとＥＭＭを入力し、出力されるＫｓを用いて映像・音声などのスクランブルを解除することで、有料放送の視聴が可能となる。すなわち有料サービスを視聴や録画する場合は、ＥＭＭに記述される個別情報の対象となるＩＣカードを受信機のＩＣカードスロットに装着する必要がある。
【０００４】
また、近年はテレビに加えＤＶＤレコーダー等の録画機器でもディジタル放送に対応するディジタル放送受信機が増えつつあり、また、視聴者宅でディジタル放送受信機を複数設置する場合もある。また、有料放送である契約サービスの視聴および録画を各々のディジタル放送受信機で行う場合は、各々に装着するＩＣカードで放送事業者と契約する必要があるという課題がある。この課題を解決するため、複数のディジタル放送受信機でＩＣカードスロットを共有するというディジタル放送受信システムがある。（例えば、特許文献１参照）
【特許文献１】特開平１１−３３１７９７号公報
【発明の開示】
【発明が解決しようとする課題】
【０００５】
複数のディジタル放送受信機で有料放送である契約サービスの視聴および録画を行う場合には、各々の受信機に契約情報を記憶しているＩＣカードを装着する必要があり、契約情報を記憶しているＩＣカードが一枚のみ所有する場合は、ディジタル放送受信機の使用状況に応じて契約情報を記憶するＩＣカードを視聴または録画の対象する受信機のＩＣカードスロットに装着する必要があるという課題がある。
【０００６】
また、特許文献１ではＩＣカードスロットを複数のディジタル放送受信機で共有し複数の受信機で契約情報を記憶している一枚のＩＣカードによって有料放送の視聴等を可能にしているが、このためには専用のＩＣカードスロットなどのハードウェアが必要となるという課題がある。
【０００７】
本発明の目的は、ディジタル放送視聴時または録画予約設定時に、ディジタル放送受信機に装着するＩＣカードで視聴可能かを確認し視聴できないと判定した場合は、このディジタル放送受信機と通信インターフェースで接続する接続機器に対して該当サービスの視聴が可能かを通信インターフェースを通じて確認し視聴が可能である場合は、ディジタル放送選局時は接続機器で該当サービスを選局し接続機器を接続する外部入力に切換え該当サービスの視聴を容易にすることと、またディジタル放送の録画予約の設定時は接続機器で該当サービスの該当放送番組を選局するように接続機器に予約登録し接続機器を接続する外部入力の映像と音声を録画するように録画予約を登録し該当サービスの該当放送番組の録画予約の設定を容易にすることとしたディジタル放送における契約サービスの選局方法および予約方法を提供することである。
【課題を解決するための手段】
【０００８】
（１）第１の発明
第１の発明に係るディジタル放送における契約サービスの選局方法は、上記の課題を解決するために、ディジタル放送を受信する放送受信機において、リモコンなどを操作して特定のサービスの選局操作を行った場合に、該当サービスが放送事業者との契約を必要とするサービスであるかの判定を行う。前記判定が契約を必要とするサービスであった場合に、放送受信機に装着しているＩＣカードより契約情報を取得し該当サービスが視聴可能であるかの判定を行う。前記判定が視聴不可であった場合に、放送受信機に接続している機器に対して、該当サービスが視聴可能であるかの情報の取得要求を通知するように構成している。
【０００９】
また、前記該当サービスが視聴可能であるかの情報の取得要求の通知に対する返答を受信し返答内容が視聴可能であった場合に、該当接続機器に対して該当サービスの選局要求を通知するように構成している。
【００１０】
また、前記該当サービスが視聴可能であるかの情報の取得要求の通知に対する返答を受信し返答内容が視聴可能であった場合に、該当接続機器が接続されている外部入力に切換えるように構成している。
【００１１】
また、前記放送受信機と接続する放送受信機において、該当サービスが視聴可能であるかの情報の取得要求を受信した場合に、当該放送受信機が装着するＩＣカードより契約情報を取得し該当サービスが視聴可能であるかを判定する。前記判定が視聴可能であった場合に視聴可能であると返答し、前記判定が視聴不可であった場合は視聴不可であるとするように構成している。
【００１２】
また、前記放送受信機と接続する放送受信機において、該当サービスの選局要求を受信した場合には指定されたサービスを選局するように構成している。
【００１３】
また、前記放送受信機とその放送受信機と接続する放送受信機間での要求やその返答の通信を行うインターフェースを備える
本発明に係るディジタル放送における契約サービスの選局方法は、ディジタル放送選局時にディジタル放送受信機に装着するＩＣカードで視聴可能かを確認し視聴できないと判定した場合は、このディジタル放送受信機と通信インターフェースで接続する接続機器に対して該当サービスの視聴が可能かを通信インターフェースを通じて確認し視聴が可能である場合は、接続機器で該当サービスを選局し、また接続機器を接続する外部入力に切換え該当サービスの視聴を容易にすることができる。
【００１４】
（２）第２の発明
第２の発明に係るディジタル放送における契約サービスの予約方法は、電子番組表等を利用して特定の放送番組を録画もしくは視聴予約の設定を行うディジタル放送受信機において、録画もしくは視聴予約の設定を行った放送番組が放送事業者との契約を必要とするサービスであり、放送受信機に装着しているＩＣカードより契約情報を取得し該当サービスが視聴可能であるかの判定を行う。前記判定が視聴不可であった場合に、放送受信機に接続している機器に対して、該当放送番組が視聴可能であるかの情報の取得要求を通知するように構成している。
【００１５】
また、前記該当サービスが視聴可能であるかの情報の取得要求の通知に対する返答を受信し返答内容が視聴可能であった場合に、該当接続機器に対して該当放送番組の録画もしくは視聴予約の登録要求を通知するように構成している。
【００１６】
また、前記該当サービスが視聴可能であるかの情報の取得要求の通知に対する返答を受信し返答内容が視聴可能であった場合に、受信機内部に記憶・管理する予約設定情報の設定サービスを前記接続機器を接続する外部入力に変更し登録するように構成している。
【００１７】
また、前記放送受信機と接続する放送受信機において、該当サービスが視聴可能であるかの情報の取得要求を受信した場合に、当該放送受信機が装着するＩＣカードより契約情報を取得し該当サービスが視聴可能であるかを判定する。前記判定が視聴可能であった場合に視聴可能であると返答し、前記判定が視聴不可であった場合は視聴不可であると返答するように構成している。
【００１８】
また、前記放送受信機と接続する放送受信機において、該当放送番組の録画もしくは視聴予約の登録要求通知を受信した場合に、要求があった予約設定内容を該当放送受信機内部に記憶・管理するように構成している。
【００１９】
また、前記放送受信機とその放送受信機と接続する放送受信機間での要求やその返答の通信を行うインターフェースを備える
本発明に係るディジタル放送における契約サービスの予約方法は、ディジタル放送選局時にディジタル放送受信機に装着するＩＣカードで視聴可能かを確認し視聴できないと判定した場合は、このディジタル放送受信機と通信インターフェースで接続する接続機器に対して該当サービスの視聴が可能かを通信インターフェースを通じて確認し視聴が可能である場合は、接続機器で該当サービスの該当放送番組を選局するように接続機器に予約登録し接続機器を接続する外部入力の映像と音声を録画するように録画予約を登録し該当サービスの該当放送番組の録画予約の設定を容易にすることができる。
【発明の効果】
【００２０】
本発明によれば、ディジタル放送の視聴時または録画および視聴予約設定時に、ディジタル放送受信機に装着するＩＣカードで視聴可能かを確認し視聴できないと判定した場合は、このディジタル放送受信機と通信インターフェースで接続する接続機器に対して該当サービスの視聴が可能かを通信インターフェースを通じて確認し視聴が可能である場合は、ディジタル放送選局時は接続機器で該当サービスを選局し接続機器を接続する外部入力に切換え該当サービスの視聴を容易にすることができ、またディジタル放送の録画および視聴予約設定時は接続機器で該当サービスの該当放送番組を選局するように接続機器に予約登録し接続機器を接続する外部入力の映像と音声を録画するように録画もしくは視聴予約を登録し該当サービスの該当放送番組の録画および視聴予約の設定を容易にすることができる。
【発明を実施するための最良の形態】
【００２１】
以下、本発明に係るディジタル放送における契約サービスの選局方法および予約方法について説明する。
【００２２】
（第１の実施の形態）
図１は、本発明の第１の実施の形態におけるディジタル放送における契約サービスの選局方法の構成を示すブロック図である。
【００２３】
図１において、アンテナ１０１は屋外において所定の方向に設置されており、受信機Ａ１００と受信機Ｂ１２０に接続される。なお、このアンテナ１０１は地上波ディジタル放送を受信するＵＨＦ・ＶＨＦでもよいし、ＢＳディジタルやＣＳ１１０度ディジタル放送などの衛星放送を受信するパラボラアンテナでもよい。このアンテナ１０１は、受信機Ａ１００のディジタルチューナー１０２および受信機Ｂ１２０のディジタルチューナー１２７に接続される。サービスリスト１０３は、受信機Ａ１００のディジタルチューナー１０２で選局可能なサービスの一覧を記述するもので、受信機Ａ１００の初期設定や受信状況の変化などに応じて必要であれば更新される。ＳＩ情報取得手段１０４は、ディジタルチューナー１０２から与えられるトランスポート・ストリームをＭＰＥＧ２のＰＳＩ／ＳＩ（Ｐｒｏｇｒａｍ  Ｓｐｅｃｉｆｉｃ  Ｉｎｆｏｍａｔｉｏｎ／Ｓｅｒｖｉｃｅ  Ｉｎｆｏｍａｔｉｏｎ）に分離し更に番組情報を抽出し記憶する。
【００２４】
リモコン発信機１０６は受信機Ａ１００を操作するための各種キーを備え、操作されたキーに対応したリモコン信号を発行部から送出する。また、リモコン発信機１０６には、ディジタル放送のサービスを選択するためのキーが装備されており、ユーザーは視聴するサービスに対応するキーを操作することになる。リモコン受信部１０７は、リモコン発信機１０６から送出されたリモコン信号を受信し、これを電気信号に変換する。
【００２５】
選局判定手段１０８は、リモコン受信部１０７でリモコン信号から変換された電気信号からユーザーが操作したリモコン発信機１０６のキーを特定しそのキーに割り当てられているサービスが選局可能であるかをサービスリスト１０３と比較し判定する。選局判定手段１０８の判定結果が選局可能である場合は、そのサービス情報を契約サービス判定手段１０９に与える。契約サービス判定手段１０９は、選局判定手段１０８から与えらるサービスが契約が必要なサービスであるかをＳＩ情報取得手段１０４で取得しているＳＩ情報から該当サービスの現在時刻の番組の番組情報により判定し、その結果を視聴可能判定手段１１０に与える。視聴可能判定手段１１０は、契約サービス判定手段１０９から与えられる契約サービスであるかの判定結果が契約サービスではない場合に、選局切換手段１０５に対して該当サービスの選局要求を行い、選局切換手段１０５は、該当サービスを視聴できるようにディジタルチューナー１０２の周波数を調整する。また、視聴可能判定手段１１０は、契約サービス判定手段１０９から与えられた契約サービスであるかの判定結果が契約サービスである場合に、契約情報取得手段１１１に対して契約情報の取得要求を行う。契約情報取得手段１１１は、ＩＣカード１１２で記憶する契約情報を取得し該当サービスが契約済みであるかの判定を行いその判定結果を視聴可能判定手段１１０に与える。視聴可能判定手段１１０は、契約情報取得手段１１１での判定結果が契約済みである場合は、選局切換手段１０５に対して該当サービスの選局要求を行う。また、契約情報取得手段１１１での判定結果が契約済みでない場合は、接続機器への視聴可能情報取得要求手段１１３に該当サービスが接続機器で視聴可能であるかの確認を行うように要求する。接続機器への視聴可能情報取得要求手段１１３は、視聴可能判定手段１１０から要求内容を解釈し受信機Ｂ１２０と予め取り決めている通信コマンド体系に整形し、通信インターフェース１１４によって受信機Ｂ１２０に通知する。また、通信インターフェース１１４では、通知した通信コマンドに対する受信機Ｂ１２０からの返答を受信するまで待機し、受信機Ｂ１２０からの返答を受信した場合には、その内容を接続機器選局可能判定手段１１５に与える。接続機器選局可能判定手段１１５では、受信機Ｂ１２０からの返答内容を解釈し受信機Ｂ１２０での該当サービスの選局が可能であるかを判定する。その判定結果が選局可能である場合は、接続機器への切換手段１１７へ接続機器への切換え要求を行う。接続機器への切換手段１１７は、接続機器選局可能判定手段１１５から接続機器への切換え要求があった場合に、該当接続機器が接続される外部入力に切換える。また、接続機器選局可能判定手段１１５は、受信機Ｂ１２０からの返答内容を解釈し受信機Ｂ１２０での該当サービスの選局が可能かを判定する。その判定結果が選局可能である場合は、接続機器への選局要求手段１１６に該当サービスを接続機器で選局するように要求する。接続機器への選局要求手段１１６は、接続機器選局可能判定手段１１５からの要求内容を解釈し受信機Ｂ１２０と予め取り決めている通信コマンド体系に整形し、通信インターフェース１１４によって受信機Ｂ１２０に通知する。
【００２６】
受信機Ｂ１２０では、受信機Ａ１００からの該当サービスが選局可能であるかの確認要求通知または該当サービスの選局要求通知を通信インターフェース１２１で受信し、要求内容解釈手段１２２に与える。要求内容解釈手段１２２は、通信インターフェース１２１で受信した受信機Ａ１００からの通知内容を解釈し、その内容が該当サービスが選局可能であるかの確認要求通知である場合は、該当サービスの情報を視聴可能判定手段１２３に与える。視聴可能判定手段１２３は、契約情報取得手段１２４に対して契約情報の取得要求を行う。契約情報取得手段１２４は、ＩＣカード１２５で記憶する契約情報を取得し該当サービスが契約済みであるかの判定を行い、判定結果を視聴可能判定手段１２３に与える。視聴可能判定手段１２３は、その判定結果を解釈し受信機Ａ１００と予め取り決めている通信コマンド体系に整形し、通信インターフェース１２１によって受信機Ａ１００に通知する。また、要求内容解釈手段１２２は、通信インターフェース１２１で受信した受信機Ａ１００からの通知内容が該当サービスの選局要求である場合は、該当サービスの情報を選局切換手段１２６に与え、選局切換手段１２６は、該当サービスを視聴できるようにディジタルチューナー１２７の周波数を調整し選局切換えを行い、切換え後の映像・音声を受信機Ａと接続する外部出力へ出力するための制御を行う。
【００２７】
次に、上記システムの各手段の動作をフローチャートを用いて説明する。図２は、本発明の第１の実施の形態におけるディジタル放送における契約サービスの選局方法でのディジタル放送のサービスを選局する際の処理についての概要を説明するフローチャートである。
【００２８】
受信機Ａでは、選局動作を行うためのリモコン操作があるまで待機している（ステップＳ１）。選局動作を行うためのリモコン操作があった場合は（ステップＳ１、Ｙｅｓ）、指定されたサービスが選局可能なサービスであるかを確認する（ステップＳ２）。選局可能でないサービスであった場合は（ステップＳ２、Ｎｏ）、再びリモコン操作があるまで待機する（ステップＳ１へ移行する）。選局可能であるサービスであった場合は（ステップＳ２、Ｙｅｓ）、該当サービスが契約サービスであるかを確認する（ステップＳ３）。該当サービスが契約サービスでない場合は（ステップＳ３、Ｎｏ）、該当サービスの視聴を行うためディジタルチューナーを制御する（ステップＳ４）。該当サービスが契約サービスであった場合は（ステップＳ３、Ｙｅｓ）、ＩＣカードから契約情報を取得し該当サービスの視聴が可能であるかを確認する（ステップＳ５）。該当サービスの視聴が可能である場合は（ステップＳ５、Ｙｅｓ）、該当サービスが視聴を行うためディジタルチューナーを制御する（ステップＳ４）。該当サービスが視聴できない場合は（ステップＳ５、Ｎｏ）、受信機Ａと通信インターフェースで接続する機器（受信機Ｂ）に対して該当サービスの視聴が可能であるかの確認要求を通知する（ステップＳ６）。受信機Ｂからの該当サービスの視聴が可能であるかの確認要求通知に対する返答を受信する（ステップＳ７）。受信した返答結果が視聴不可であった場合は（ステップＳ８、Ｎｏ）、再びリモコン操作があるまで待機する（ステップＳ１へ移行する）。受信した返答結果が視聴可能であった場合は（ステップＳ８、Ｙｅｓ）、受信機Ｂに対して該当サービスへの選局切換要求を通知する（ステップＳ９）。また、受信機Ｂから出力される映像・音声を視聴できるように受信機Ｂを接続する外部入力に切換える。
【００２９】
受信機Ａと通信インターフェースで接続する受信機Ｂでは、受信機Ａからの該当サービスが選局可能であるかの確認要求通知または該当サービスへの選局切換要求通知を受信するまで待機する（ステップＳ１１）。受信機Ａからの通知があった場合は（ステップＳ１１、Ｙｅｓ）、通知の内容が該当サービスが選局可能であるかの確認要求通知であるかを確認する（ステップＳ１２）。通知内容が該当サービスが選局可能であるかの確認要求通知でない場合は（ステップＳ１２、Ｎｏ）、通知の内容が該当サービスへの選局切換要求通知であるかを確認する（ステップＳ１３）。通知の内容が該当サービスへの選局切換要求通知でない場合は（ステップＳ１３、Ｎｏ）、受信機Ａからの通知受信待機状態に移行する（ステップＳ１１）。通知の内容が該当サービスが選局可能であるかの確認要求通知であった場合は（ステップＳ１２、Ｙｅｓ）、受信機Ｂに装着するＩＣカードから取得する契約情報などから受信機Ｂでの該当サービスの視聴が可能であるかを判定する（ステップＳ１５）。判定結果が視聴が可能である場合は（ステップ１５、Ｙｅｓ）、受信機Ａに予め取り決めている通信コマンド体系で通信インターフェースによって選局可能である旨の通知を行う（ステップＳ１６）。また、判定結果が視聴が不可である場合は（ステップ１５、Ｎｏ）、受信機Ａに予め取り決めている通信コマンド体系で通信インターフェースによって選局不可である旨の通知を行う（ステップＳ１７）。また、ステップＳ１１で受信した通知内容が該当サービスへの選局切換要求通知である場合は（ステップＳ１３、Ｙｅｓ）、該当サービスへの選局切換えや切換え後の映像・音声を受信機Ａと接続する外部出力へ出力するための制御を行う（ステップＳ１４）。
【００３０】
（第２の実施の形態）
図３は、本発明の第２の実施の形態におけるディジタル放送における契約サービスの予約方法の構成を示すブロック図である。なお、受信機Ａ２００での録画予約の設定を行う場合の動作について説明する。
【００３１】
図３において、録画予約設定手段２０１は、電子番組表などでのユーザーの操作により録画予約の対象番組となる放送ネットワーク、サービス、イベント等録画予約を実行するために必要な録画予約設定情報を設定するためのＧＵＩ（Ｇｒａｐｈｉｃｓ  Ｕｓｅｒ  Ｉｎｔｅｒｆａｃｅ）である。また、録画予約設定情報を設定サービス視聴可能判定手段２０２に与える。設定サービス視聴可能判定手段２０２は、録画予約設定手段２０１で設定した録画予約設定情報のうち対象番組のサービスが契約サービスではない場合は、録画予約登録手段２０５に録画予約設定手段で設定した予約録画情報を与える。また、設定サービス視聴可能判定手段２０２は、録画予約設定手段２０１で設定した録画予約設定情報のうち対象番組のサービスが契約サービスであった場合は、契約情報取得手段２０３に対して契約情報の取得要求を行う。契約情報取得手段２０３は、ＩＣカード２０４で記憶する契約情報を取得し該当サービスが契約済みであるかの判定を行いその判定結果を設定サービス視聴可能判定手段２０２に与える。設定サービス視聴可能判定手段２０２は、契約情報取得手段２０３での判定結果が契約済みである場合は、録画予約登録手段２０５に録画予約設定手段２０１で設定した録画予約設定情報の登録を要求する。また、設定サービス視聴可能判定手段２０２は、契約情報取得手段２０３での判定結果が契約済みでない場合は、接続機器への視聴可能情報取得要求手段２０７に該当サービスが接続機器で視聴可能であるかの確認を行うように要求する。接続機器への視聴可能情報取得要求手段２０７は、設定サービス視聴可能判定手段２０２からの要求内容を解釈し受信機Ｂ２２０と予め取り決めている通信コマンド体系に整形し、通信インターフェース２０８によって受信機Ｂ２２０に通知する。また、通信インターフェース２０８では、通知した通信コマンドに対する受信機Ｂ２２０からの返答を受信するまで待機し、受信機Ｂ２２０からの返答を受信した場合にはその内容を接続機器選局可能判定手段２０９に与える。接続機器選局可能判定手段２０９では、受信機Ｂ２２０からの返答の内容を解釈し受信機Ｂ２２０での該当サービスの選局が可能であるかを判定する。その判定結果が選局可能である場合は、接続機器への録画予約登録要求手段２１１へ接続機器への該当番組の録画予約の登録要求を行う。また、接続機器選局可能判定手段２０９は、判定結果が選局可能である場合は、録画予約設定変更手段２１０に録画予約設定情報の設定サービスを受信機Ｂを接続する外部入力に変更するように要求する。接続機器への録画予約登録要求手段２１１は、接続機器選局可能判定手段２０９からの該当番組の録画予約の登録要求に応じて受信機Ｂ２２０と予め取り決めている通信コマンド体系に整形し、通信インターフェース２０８によって受信機Ｂ２２０に通知する。録画予約設定変更手段２１０は、接続機器選局可能判定手段２０９からの録画予約情報の設定サービスの受信機Ｂを接続する外部入力への変更要求に応じて、録画予約設定情報の設定サービスを受信機Ｂを接続する外部入力に変更し録画予約登録手段２０５に変更した録画予約設定情報の登録を要求する。録画予約登録手段２０５は、設定サービ��視聴可能判定手段２０２もしくは録画予約設定変更手段２１０から登録要求された録画予約設定情報を管理する。また、録画予約の開始時刻になった場合には、録画予約管理部２０６に録画予約設定情報を通知する。録画予約管理部２０６は、録画予約登録手段２０５から通知された録画予約設定状態で、該当サービスの選局切換えもしくは該当外部入力への切換えや切換え後の映像・音声を記録するための制御を行う。
【００３２】
受信機Ｂ２２０では、受信機Ａ２００からの該当サービスが選局可能であるかの確認要求通知または該当番組の録画予約の登録要求通知を通信インターフェース２２１で受信し、要求内容解釈手段２２２に与える。要求内容解釈手段２２２は、通信インターフェース２２１で受信した受信機Ａ２００からの通知内容を解釈し、その内容が該当サービスが選局可能であるかの確認要求通知である場合は、該当サービスの情報を視聴可能判定手段２２３に与える。視聴可能判定手段２２３は、契約情報取得手段２２４に対して契約情報の取得要求を行う。契約情報取得手段２２４は、ＩＣカード２２５で記憶する契約情報を取得し該当サービスが契約済みであるかの判定を行い視聴可能判定手段２２３に与える。視聴可能判定手段２２３は、その結果を解釈し受信機Ａ２００と予め取り決めている通信コマンド体系に整形し、通信インターフェース２２１によって受信機Ａ２００に通知する。また、要求内容解釈手段２２２は、通信インターフェース２２１で受信した受信機Ａ２００からの通知内容が該当番組の録画予約の登録要求通知であった場合は、選局予約登録手段２２６へ登録要求があった録画予約設定情報での選局予約の登録を要求する。選局予約登録手段２２６は、登録要求された選局予約設定情報を管理する。また、選局予約の開始時刻になった場合には、選局予約管理部２２７に選局予約設定情報を通知する。選局予約管理部２２７は、選局予約登録手段２２６から通知された選局予約設定により、該当サービスの選局切換えや切換え後の映像・音声を受信機Ａ２００と接続する外部出力へ出力するための制御を行う。
【００３３】
次に、上記システムの各手段の動作をフローチャートを用いて説明する。図４は、本発明の第２の実施の形態におけるディジタル放送における契約サービスの予約方法でのディジタル放送のサービスを予約設定する際の処理についての概要を説明するフローチャートである。
【００３４】
受信機Ａでは、電子番組表などでのユーザーのリモコンなどの操作により録画予約の対象番組となる放送ネットワーク、サービス、イベント等録画予約を実行するために必要な情報を設定するためのＧＵＩ（Ｇｒａｐｈｉｃｓ  Ｕｓｅｒ  Ｉｎｔｅｒｆａｃｅ）やＧＵＩを表示するための表示制御である（ステップＳ２０）。録画予約に必要な録画予約設定情報の設定完了次第設定されたサービスが視聴可能であるかをＩＣカードの契約情報などを参照し判定する（ステップＳ２１）。判定結果が視聴可能である場合は（ステップＳ２１、Ｙｅｓ）、ステップＳ２０で設定した録画予約設定情報を登録する（ステップＳ２２）。また、判定結果が視聴不可である場合は（ステップＳ２１、Ｎｏ）、受信機Ａと通信インターフェースで接続する機器（受信機Ｂ）に該当サービスが選局可能であるかの確認要求を行う。この場合は、受信機Ｂと予め取り決めている通信コマンド体系で通信インターフェースで通知する（ステップＳ２３）。ステップＳ２３で受信機Ｂに通知した該当サービスが選局可能であるかの確認要求に対する返答を受信する（ステップＳ２４）。受信した返答結果が視聴可能であった場合は（ステップＳ２５、Ｙｅｓ）、受信機Ｂに該当番組の録画予約の登録要求を受信機Ｂと予め取り決めている通信コマンド体系で通信インターフェースによって通知する（ステップＳ２６）。その後、ステップＳ２０で設定した録画予約設定情報の設定サービスを受信機Ｂを接続する外部入力に変更し（ステップＳ２７）、変更した録画予約設定情報を登録する（ステップＳ２２）。
【００３５】
受信機Ａと通信インターフェースで接続する受信機Ｂでは、受信機Ａからの該当サービスが選局可能かの確認通知または該当番組の録画予約の登録要求通知を受信するまで待機する（ステップＳ３０）。受信機Ａからの通知があった場合には（ステップＳ３０、Ｙｅｓ）、通知の内容が該当サービスが選局可能であるかの確認要求通知であるかを確認する（ステップＳ３１）。通知の内容が該当サービスが選局可能かの確認通知でない場合は（ステップＳ３１、Ｎｏ）、通知の内容が該当番組の録画予約の登録要求通知であるかを確認する（ステップＳ３２）。通知の内容が該当番組の録画予約の登録要求通知でない場合は（ステップＳ３２、Ｎｏ）、受信機Ａからの通知受信待機状態に移行する（ステップＳ３０）。通知の内容が該当サービスが選局可能かの確認通知であった場合は（ステップＳ３１、Ｙｅｓ）、受信機Ｂに装着するＩＣカードから取得する契約情報などから受信機Ｂでの該当サービスの視聴が可能であるかを判定する（ステップＳ３４）。判定結果が視聴が可能である場合は（ステップ３４、Ｙｅｓ）、受信機Ａに予め取り決めている通信コマンド体系で通信インターフェースによって選局可能である旨の通知を行う（ステップＳ３５）。また、判定結果が視聴が不可である場合は（ステップ３４、Ｎｏ）、受信機Ａに予め取り決めている通信コマンド体系で通信インターフェースによって選局不可である旨の通知を行う（ステップＳ３６）。また、ステップＳ３０で受信した通知の内容が該当番組の録画予約の登録要求通知である場合は（ステップ３２、Ｙｅｓ）、登録要求された選局予約設定情報を管理し、また選局予約の開始時刻になった場合には、該当サービスの選局切換えや切換え後の映像・音声を受信機Ａと接続する外部出力へ出力するための制御を行う（ステップＳ３３）。
【００３６】
なお、本発明の第２の実施の形態では、受信機Ａ２００での録画予約の設定を行った場合の実施の形態を説明しているが、視聴予約の設定を行う場合でもかまわない。
【産業上の利用可能性】
【００３７】
本発明に係るディジタル放送における契約サービスの選局方法および予約方法は、複数のディジタル放送受信機を相互接続した場合に、契約サービスの選局や予約の実行の際に、選局や予約の実行に最適な受信機を選択することが可能になり、一般家庭でディジタル放送受信機を複数台使用する場合の契約サービスの視聴や予約に関して有用である。
【図面の簡単な説明】
【００３８】
【図１】本発明の第１の実施の形態におけるディジタル放送における契約サービスの選局方法の構成を示すブロック図
【図２】本発明の第１の実施の形態におけるディジタル放送における契約サービスの選局方法の動作を示すフローチャート
【図３】本発明の第２の実施の形態におけるディジタル放送における契約サービスの予約方法の構成を示すブロック図
【図４】本発明の第２の実施の形態におけるディジタル放送における契約サービスの予約方法の動作を示すフローチャート
【符号の説明】
【００３９】
１００    受信機Ａ
１０１    アンテナ
１０２    ディジタルチューナー
１０３    サービスリスト
１０４    ＳＩ情報取得手段
１０５    選局切換手段
１０６    リモコン発信機
１０７    リモコン受光部
１０８    選局判定手段
１０９    契約サービス判定手段
１１０    視聴可能判定手段
１１１    契約情報取得手段
１１２    ＩＣカード
１１３    接続機器への視聴可能情報取得要求手段
１１４    通信インターフェース
１１５    接続機器選局可能判定手段
１１６    接続機器への選局要求手段
１１７    接続機器への切換え手段
１２０    受信機Ｂ
１２１    通信インターフェース
１２２    要求内容解釈手段
１２３    視聴可能判定手段
１２４    契約情報取得手段
１２５    ＩＣカード
１２６    選局切換手段
１２７    ディジタルチューナー
２００    受信機Ａ
２０１    録画予約設定手段
２０２    設定サービス視聴可能判定手段
２０３    契約情報取得手段
２０４    ＩＣカード
２０５    録画予約登録手段
２０６    録画予約管理部
２０７    接続機器への視聴可能情報取得要求手段
２０８    通信インターフェース
２０９    接続機器視聴可能判定手段
２１０    録画予約設定変更手段
２１１    接続機器への録画予約登録要求手段
２２０    受信機Ｂ
２２１    通信インターフェース
２２２    要求内容解釈手段
２２３    視聴可能判定手段
２２４    契約情報取得手段
２２５    ＩＣカード
２２６    選局予約登録手段
２２７    選局予約管理部
【図１】
2007228350.tif 000003
【図２】
2007228350.tif 000004
【図３】
2007228350.tif 000005
【図４】
2007228350.tif 000006